(57)【要約】【課題】  二重筒状の軸筒を用いた筆記具において、今までにない熱変色性装飾体を用いることで、温度変化に伴う装飾体の様相変化やインジケーター機能を付与できる興趣に富み、オリジナル性の高い筆記具を提供する。【解決手段】  筆記ユニットを内設する内筒５と、前記内筒５が外側から視認できる透明性を有する外筒６との二重筒状の軸筒２を用いた筆記具１であって、前記内筒５と外筒６の間に間隙部７が形成され、前記間隙部７に、温度変化によって様相変化を生じる熱変色性装飾体８が収容される。【選択図】  図２
2012179890.tif 000002
【特許請求の範囲】
【請求項１】
筆記ユニットを内設する内筒と、前記内筒が外側から視認できる透明性を有する外筒との二重筒状の軸筒を用いた筆記具であって、
前記内筒と前記外筒の間に間隙部が形成され、前記間隙部に、温度変化によって様相変化を生じる熱変色性装飾体が収容されてなる筆記具。
【請求項２】
前記熱変色性装飾体が、可逆熱変色像を備えたシート体又はパイプ体である請求項１記載の筆記具。
【請求項３】
前記熱変色性装飾体が、軸筒から取出可能である請求項１又は２に記載の筆記具。
【請求項４】
筆記ユニットを内設する内筒と、前記内筒が外側から視認できる透明性を有する外筒との二重筒状の軸筒を用いた筆記具であって、
前記内筒外面と前記外筒内面の少なくともいずれかに、温度変化によって様相変化を生じる可逆熱変色性装飾体が形成されてなる筆記具。
【請求項５】
前記外筒が、弾性グリップである請求項１乃至４のいずれかに記載の筆記具。
【請求項６】
前記筆記ユニットが、筆記材を内蔵するレフィル、筆記材カートリッジ又はシャープペンシルユニットのいずれかである請求項１乃至５のいずれかに記載の筆記具。
【請求項７】
前記筆記材が、着色剤として一定温度に達すると変色する熱変色性材料を用いてなる請求項６記載の筆記具。
【請求項８】
前記熱変色性材料の変色温度と、熱変色性装飾体の様相変化温度が略等しい温度である請求項７記載の筆記具。
【請求項９】
前記熱変色性装飾体が、室温が１８〜２１℃の任意の温度を上回った際に様相変化を生じる、又は、室温が２６〜３０℃の任意の温度を下回った際に様相変化を生じる室温表示部を有する請求項１又は４に記載の筆記具。
【発明の詳細な説明】
【技術分野】
【０００１】
本発明は、筆記具に関する。更には、内筒と外筒からなる二重筒状の軸筒を用いた筆記具に関する。
【背景技術】
【０００２】
従来、筆記具の外観装飾性を向上させることを目的に、内筒と透明な外筒から構成される二重筒を軸筒に用いて、内筒と外筒の間に装飾体を内設したものが開示されている（例えば、特許文献１、２参照）。
前記筆記具では、転写等による外面被覆型の装飾体とは異なり、装飾体が外筒内に収容されるため、擦過や把持によって装飾体が剥離することがないものである。
特に、装飾体が着脱自在に配設できる軸筒構造とすることで、販売時にメーカーが設けた装飾体に変えて、購入したユーザーが印刷物やシール、自筆の像等を用いて所望の図柄模様を備えた装飾体を自由に形成して、筆記具にオリジナルの加飾を施すことができるものである。
【先行技術文献】
【特許文献】
【０００３】
【特許文献１】特開２００４−１３０６２５号公報
【特許文献２】特開平１１−３０９９８２号公報
【発明の概要】
【発明が解決しようとする課題】
【０００４】
本発明は、この種の二重筒状の軸筒を用いた筆記具において、今までにない熱変色性装飾体を用いることで、温度変化に伴う装飾体の様相変化やインジケーター機能を付与できる興趣に富み、オリジナル性の高い筆記具を提供するものである。
尚、本発明において「先」とは、ペン先側を示し、「後」とは、ノック式筆記具の押圧部側を示す。
【課題を解決するための手段】
【０００５】
本発明は、筆記ユニットを内設する内筒と、前記内筒が外側から視認できる透明性を有する外筒との二重筒状の軸筒を用いた筆記具であって、前記内筒と前記外筒の間に間隙部が形成され、前記間隙部に、温度変化によって様相変化を生じる熱変色性装飾体が収容されてなる筆記具を要件とする。
更に、前記熱変色性装飾体が、可逆熱変色像を備えたシート体又はパイプ体であること、前記熱変色性装飾体が軸筒から取出可能であることを要件とする。
また、筆記ユニットを内設する内筒と、前記内筒が外側から視認できる透明性を有する外筒との二重筒状の軸筒を用いた筆記具であって、前記内筒外面と前記外筒内面の少なくともいずれかに、温度変化によって様相変化を生じる可逆熱変色性装飾体が形成されてなる筆記具を要件とする。
更に、前記外筒が弾性グリップであること、前記筆記ユニットが筆記材を内蔵するレフィル、筆記材カートリッジ又はシャープペンシルユニットのいずれかであること、前記筆記材が、着色剤として一定温度に達すると変色する熱変色性材料を用いてなること、前記熱変色性材料の変色温度と、熱変色性装飾体の様相変化温度が略等しい温度であることを要件とする。
更には、前記熱変色性装飾体が、室温が１８〜２１℃の任意の温度を上回った際に様相変化を生じる、又は、室温が２６〜３０℃の任意の温度を下回った際に様相変化を生じる室温表示部を有することを要件とする。
【発明の効果】
【０００６】
本発明の筆記具は、請求項１により、擦過や把持によって装飾体が剥離することがなく、装飾体に温度変化に伴う様相変化や、環境温度を知るためのインジケーター機能を付与でき、今までにない意外性を備え、興趣に富んだ筆記具となる。
【０００７】
請求項２により、別体で形成した装飾体が、従来の二重筒状軸筒を用いた筆記具に収容できるため、金型等大きな設備を新たに必要とすることなく所望の筆記具を製造できる。
【０００８】
請求項３により、別に提供される取替用の装飾体や、ユーザーが印刷物やシールや自筆の像等を用いて自由に図柄模様を形成して作製した装飾体に交換することができるため、オリジナル性の高い筆記具を作ることが可能となる。
【０００９】
請求項４により、擦過や把持によって装飾体が剥離することがなく、装飾体に温度変化に伴う様相変化や、環境温度を知るためのインジケーター機能が付与できるので、今までにない意外性を備え、興趣に富んだ筆記具となる。
【００１０】
請求項５により、長期間の使用（把持）においても装飾体が剥離や劣化することなく、筆記時等の把持状態で体温による様相変化が生じるため、使用時の意外性に富んだものとなる。
【００１１】
請求項６により汎用の筆記ユニットが適用できる。
【００１２】
請求項７により、外装（熱変色性装飾体）とともに筆跡も色変化を生じるため、より意外性のある筆記具となる。
【００１３】
請求項８により、筆記具に内蔵される筆記材の変色状況が、外部から装飾体を見ることで確認できるため、筆記材の設定された変色温度よりも高温又は低温の環境下に置かれたことが容易に判断できる。
【００１４】
請求項９により、室内の環境温度を筆記具で視覚的に確認できるため、エアコンの設定温度の調整目安となり、節電啓蒙用のノベルティ製品性の高いものとなる。
【図面の簡単な説明】
【００１５】
【図１】本発明の実施の形態（装飾体収容前）の一例を示す外観図と、Ａ−Ａ′線断面図である。
【図２】図１を用いた本発明の実施の形態の一例を示す外観図と、Ｂ−Ｂ′線断面図である。
【図３】熱変色性材料の変色挙動を示す説明図である。
【図４】本発明の他の実施の形態の一例を示す外観図と、Ｃ−Ｃ′線断面図である。
【図５】本発明の他の実施の形態の一例を示す（ａ）変色前、（ｂ）変色後の外観図である。
【図６】図５の裏面を示す（ａ）変色前、（ｂ）変色後の外観図である。
【発明を実施するための形態】
【００１６】
＜第一の実施の形態＞
本発明の筆記具１の第一の実施形態を図１乃至３を用いて説明する。
図１の筆記具１は、後端部の押圧操作によって軸筒先端からペン先９１が出没される出没式形態のボールペンである。前記筆記具１では、ペン先９１が先端に接続されたインキ収容管に熱変色性インキとインキ追従体（液栓）を内蔵するボールペンレフィルを筆記ユニット９として用い、該ボールペンレフィルが筆記具外装である軸筒２の内部に収容されている。また、前記軸筒２の後端には、ペン先９１を軸筒先端から出没させるための押圧操作部４３が設けられている。更に、軸筒２の後方外面には、クリップ４２が設けられており、該クリップ４２は、基部４１近傍の曲面状外面が熱変色性インキによる筆跡を摩擦熱で変色させる摩擦体として機能するものである。
【００１７】
・軸筒
前記筆記具外装である軸筒２は、把持部となる弾性グリップ３１と口金３２を有する前軸３と、出没機構を内設し、基部４１にクリップ４２が取り付けられた後軸４とを螺着することで形成される。
前記後軸４は、出没機構を内設するとともに、ボールペンレフィルを収容する基部４１を備えた内筒５と、該内筒５を被覆する外筒６とによって構成されており、前記内筒５と外筒６との間には、内筒５の外周面全体に亘って間隙部７が形成されている。
前記外筒６は、内側が視認できる透明な筒状樹脂成形物であり、内筒５前方に螺着される前軸３を外すことで、前方から着脱可能に構成されている。
【００１８】
本実施の形態では、ポリカーボネート樹脂中に着色材を添加した樹脂材料を射出成形することで得られる前軸３（二色成形によるエラストマー製グリップ３１を有しバネ体を内部に配置する）と、出没機構を作動させる前後動可能な押圧操作部４３を後端に配設する後軸４の二部品が、前後方向に着脱可能に形成される軸筒２が用いられ、前記二部品をレフィル収容状態で螺合することで筆記具外装を形成している。
前記後軸４は、ペン先出没時に作動する回転カム機構が内設される着色不透明ポリカーボネート樹脂製内筒５と、該内筒５の外面との間に間隙部７が形成されるように被覆してなり、該間隙部７及び内筒５が外側から視認できる透明ポリカーボネート樹脂製外筒６とから構成されている。尚、前記外筒６は、後端が基部４１と接触するとともに、前端が前軸３の後端（グリップ３１後端）と接触することで保持されているため、前軸３と後軸４を分割することで容易に取り外すことができる。
【００１９】
前記クリップ４２は、内筒５の基部４１に別体で取り付けられる成形体（具体的にはポリエステル系エラストマー成形物）であり、熱変色性インキを適用する本発明においては、基部４１近傍の外側曲面部分を摩擦体として使用するものである。尚、内蔵するインキが非熱変色性である場合には硬質の樹脂材による一体成形物や二色成形物、更に金属加工体等を取り付けることも可能である。また、スプリングや弾性樹脂等のバネ部材を用いたバインダークリップを用いることもできる。
【００２０】
前記クリップ４２は、基部４１近傍を摩擦体として使用するために、クリップ全体を単一のエラストマーで形成しているがこれに限られるものではなく、二色成形やインサート成形によって、外面の少なくとも一部が紙面等の被摩擦面に接触可能な形状や位置に弾性樹脂部を設けたものでもよい。
前記摩擦体に適した弾性樹脂部の材質としては、弾性を有するゴムやエラストマーが好ましく、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。特に、高摩耗性の弾性材料（例えば、消しゴム等）からなるものよりも、摩擦時に摩耗屑が生じない低摩耗性の弾性材料からなることが好ましい。
【００２１】
尚、前記二重筒状の軸筒２を用いた筆記具外装は、前記押圧出没式筆記具の構成に限定されるものではなく、一端又は両端にペン先を備えたキャップ式筆記具や、回転繰り出し式、スライドレバー式、サイドノック式等の他の出没式筆記具形態、複数の筆記ユニットを収容する複合筆記具等であってもよい。また、構成する材質としても、金属や木材の加工体、合成樹脂成形体等から適宜選択され形成できる。
【００２２】
・熱変色性装飾体
前記後軸４の内筒５と外筒６の間に形成される間隙部７には、熱変色性インキによる印刷像（熱変色像８１）と、非熱変色性インキによる印刷像（非熱変色像８２）が形成された樹脂シートを筒状とした熱変色性装飾体８が取出可能に収容されている。尚、前記樹脂シートは、裏面に接着層を介在させて内筒外面に貼着させてもよい。
前記熱変色像８１は、環境温度域内（例えば、−１０℃〜５０℃、好ましくは５℃〜４０℃）で色調や様相が変化するものであり、筆記具１の使用場所の温度に応じて様々な様相が現出されるように装飾性を高めることができるため、今までにない意外性を備え、興趣に富んだ筆記具を形成できる。特に、環境温度域内での変色温度が異なるものを二種以上用いた場合には、温度によって複数の様相を呈する、より装飾性が高いものを構成できる。
前記熱変色像８１に適用される熱変色性材料には、可逆熱変色性、不可逆熱変色性のいずれのタイプも用いることができるが、温度変化による変化、復元が可能であることから可逆熱変色性材料が好ましい。前記可逆熱変色性材料は、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。尚、前記熱変色性材料は、熱変色性組成物が直接用いられる他、該組成物をマイクロカプセルに内包したマイクロカプセル顔料形態で用いることができる。
【００２３】
本実施の形態で用いる可逆熱変色性材料は、図３に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性材料（印刷インキ形態）が適用される。図３において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。尚、印刷像８１に用いる印刷インキのΔＨの値は、筆記用インキのΔＨの値よりも小さく、完全消色温度（ｔ４）も低く設定されている。
また、前記可逆熱変色性材料は、単独で用いた消色タイプの他、非熱変色性着色剤を添加した変色タイプのいずれを用いることもできる。尚、本実施例では、後者の変色タイプを用いて色変わりする像を形成している。
【００２４】
更に、前記熱変色像８１とは異なる変色温度域の熱変色性材料で構成されたラベルを貼着することで熱変色性インジケーター８３が設けられている。
前記熱変色性インジケーター８３は、非熱変色性材料（印刷インキ形態）による「ＨＯＴ」の文字を熱変色性材料（印刷インキ形態）によって楕円形に被覆隠蔽するものであり、該熱変色性材料には、筆記用インキに適用される熱変色性材料の変色温度域と略等しく設定されたものが用いられている。そのため、熱変色性装飾体８が環境温度域で生じる様相変化とともに、高温状態でのインジケーター機能を有するものとなる。前記熱変色性インジケーター８３の変色温度が筆記用インキの変色温度と略等しく設定されることで、収容する筆記用インキの状態（消色や変色の有無）が外観を確認することで容易に判断できるため、保管状態が適しているか等の確認を即座に行うことができる。
【００２５】
・筆記ユニット
前記軸筒２内に収容される筆記ユニット９は、汎用の筆記具に適用されるものであれば交換式、非交換式等どのような形態であってもよく、例えば、インキや固形描画材等の筆記材を内蔵するレフィル（ペン先を備える）やカートリッジ、シャープペンシルユニット、直液式の万年筆、マーキングペンボールペン等のユニットが適用できる。
本実施形態では、レフィル形態の筆記ユニットが適用されており、例えば、金属製細管や筒状樹脂成形体からなるインキ収容管の先端に直接又はホルダーを介してペン先９１が接続され、前記インキ収容管には熱変色性インキが充填されると共に、該インキの後端には所望によりインキ追従体が配設される。更に、レフィルの後端には空気通路を有する尾栓が設けられている。
【００２６】
・ペン先
前記ペン先９１としては、繊維チップ、フェルトチップ、プラスチックチップ等のマーキングペン用ペン先、又は、金属製のパイプの先端近傍を外面より内方に押圧変形させたボール抱持部にボールを抱持してなるチップ、金属材料をドリル等による切削加工により形成したボール抱持部にボールを抱持してなるチップ、金属製のパイプや金属材料の切削加工により形成したチップに抱持するボールをバネ体により前方に付勢させたチップ等のボールペン用ペン先が適用できる。尚、ボールペンチップに用いられるボールは、超硬合金、ステンレス鋼、ルビー、セラミック等が適用できる。
本実施形態では、金属材料を切削加工により形成したボール抱持部に超硬合金ボールを抱持し、該ボールをバネ体により前方に付勢させたボールペン用ペン先９１が適用されている。
【００２７】
・筆記材（熱変色性インキ）
前記筆記ユニット９に用いられる筆記材は、インキ、固形筆記材、シャープペンシル芯等、ユニット９に応じて適宜選択されるものであり、本実施形態では、着色剤として一定温度に達すると変色する熱変色性材料を用いた熱変色性水性インキが適用されレフィルに内蔵される。
前記熱変色性インキには、可逆熱変色性、不可逆熱変色性のいずれのタイプも用いることができるが、ユーザーが所望時に消去、変色させた筆跡を元の筆跡に戻すことが可能であることから可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００２８】
また、前記可逆熱変色性インキに含有される着色剤（熱変色性材料）は、従来から公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
具体的には、図３に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキ（ゲルインキ）が適用される。図３において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００２９】
本実施の形態では、摩擦体の摩擦熱による前記熱変色性インキの変色温度は、２５℃〜９５℃（好ましくは３６℃〜９５℃）に設定される。即ち、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる筆跡を摩擦体による摩擦熱で容易に変色させることができる。
【００３０】
＜第二の実施の形態＞
本発明の筆記具１の第二の実施形態を図４に示す。
図４の筆記具１は、後端部の押圧操作によって軸筒先端からペン先９１が出没される出没式形態のボールペンである。前記筆記具１は、ペン先９１が先端に接続されたインキ収容管に油性インキとインキ追従体（液栓）を内蔵するボールペンレフィルを筆記ユニット９として用い、該ボールペンレフィルが筆記具外装である軸筒２の内部に収容されている。また、前記軸筒２の後端には、ペン先９１を軸筒先端から出没させるための押圧操作部４３が設けられており、更に、軸筒２の後方外面には、クリップ４２が設けられている。
【００３１】
・軸筒
前記筆記具外装である軸筒２は、把持部となる弾性グリップ３１を前方に備えるとともに、出没機構を内設する基部４１が後端に螺着された後軸４と、口金３２である前軸３とを螺合することで形成される。
前記後軸４は、支持部５１を介して前後方向に長さの異なる細径状筒部が形成される内筒５と、該内筒５（細径状筒部）を被覆する二種類の外筒６（前方を被覆する透明弾性グリップ３１と、後方を被覆する透明硬質樹脂成形物）とによって構成されている。前記外筒６は、いずれも着脱自在であり、後方の外筒６（硬質樹脂成形物）は、外面にクリップ４２が一体に形成された基部４１を着脱可能に螺着することで、該基部４１と支持部５１後端との間に係止される。また、前方の外筒６（弾性グリップ３１）は口金３２となる前軸３を螺着することで、口金３２と支持部５１前端との間で係止される。尚、前記外筒６は、内側が視認可能な透明な筒状樹脂成形物（前方用が軟質、後方用が硬質）で構成されている。
前記内筒５と外筒６との間には、支持部５１の前方及び後方（内筒５の外筒６が取り付けられる細径状筒部）の内周面全体に亘って間隙部７が形成されている。
尚、前記軸筒２においては、口金３２（前軸３）又は基部４１を取り外すことで軸筒２（中筒５）内にボールペンレフィルを収容することができる。
【００３２】
本実施の形態では、ポリカーボネート樹脂中に着色材を添加した樹脂材料を射出成形体からなり、出没機構を作動させる前後動可能な押圧操作部４３を後端に配設する内筒５が、二種類の透明な外筒６で被覆される後軸４と、金属加工体からなり、スプリングを収容する前軸３（口金３２）との二部品が軸筒２として用いられる。前記二部材は、前後方向に着脱可能に構成されており、該二部品をレフィル収容状態で螺合することで筆記具外装を形成している。
【００３３】
前記後軸４は、基部４１が後端に螺着される内筒５と、該内筒５を被覆する二種類の硬度が異なる外筒６とにより形成される。
前記内筒５は、支持部５１を介して前後方向に長さの異なる細径状筒部が形成される筒部材と、クリップ４２が一体成形される基部４１からなり、いずれも着色不透明ポリカーボネート樹脂を射出成形することで得られる。尚、前記筒部材の各細径状筒部表面には、フィルム転写又は印刷によって熱変色性装飾体８が形成される。
【００３４】
前記外筒６は、内筒５の細径状筒部前方を被覆する透明弾性グリップ３１と、後方を被覆する透明硬質樹脂成形物との二種類によって構成されている。
前記透明弾性グリップ３１は、内面の視認が可能な白色透明の軟質エラストマーの成形体であり、内筒５に被覆した際、内面と内筒表面（装飾体形成面）との間隙がほとんど形成されないような内径に設定される。これにより、筆記時にグリップ３１を把持することで熱変色性装飾体８の様相変化が生じ易いものとなる。
前記透明硬質樹脂成形物は、内筒５が外側から視認できる透明ポリカーボネート樹脂製の外筒６であり、前記内筒５の外面との間に間隙部７を形成して被覆できる内径に設定される。尚、前記硬質の外筒６は、後端が基部４１と接触するとともに、前端が支持部５１と接触することで保持されているため、基部４１を分割することで容易に取り外すことができる。また、軟質外筒であるグリップ３１は、前端を口金３２と接触するとともに、後端を支持部５１と接触することで保持されているため、口金３２を分割することで容易に取り外すことができる。
【００３５】
・熱変色性装飾体
前記後軸４の内筒５と外筒６（透明弾性グリップ３１と透明硬質樹脂成形物）の間に形成される間隙には、熱変色性材料による印刷像（熱変色像８１）と、非熱変色性材料による印刷像（非熱変色像８２）が形成された樹脂フィルムを内筒５外面に転写した転写型熱変色性装飾体８（後方のＣ−Ｃ′断面参照）と、熱変色性材料を含むインキによる印刷像である印刷型熱変色性装飾体８１（前方）が設けられる。そのため、長期間の使用においても装飾体８が剥離することがない構造となっている。
前記熱変色像８１は、環境温度域内（例えば、−１０℃〜５０℃、好ましくは５℃〜４０℃）で色調や様相が変化するものであり、筆記具１の使用場所の温度に応じて様々な様相が現出されるように装飾性を高めることができるため、今までにない意外性を備え、興趣に富んだ筆記具を形成できる。特に、環境温度域内での変色温度が異なるものを二種以上用いた場合には、温度によって複数の様相を呈する、より装飾性の高いものを構成できる（例えば、１８℃で変色するものと２８℃で変色するもの等）。
前記熱変色像８１に適用される熱変色性材料には、可逆熱変色性、不可逆熱変色性のいずれのタイプも用いることができるが、温度変化による変化、復元が可能であることから可逆熱変色性材料が好ましい。前記可逆熱変色性材料は、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。尚、前記熱変色性材料は、熱変色性組成物が直接用いられる他、該組成物をマイクロカプセルに内包したマイクロカプセル顔料形態で用いることができる。
特に、グリップ３１の下面に形成される熱変色像８１には、体温に近い温度域（例えば、３０℃〜４０℃）を変色温度とする熱変色性材料が用いられる。そのため、環境温度以外に、筆記時等の把持状態で体温による様相変化が生じることで、使用時の意外性に富んだものとなる。
【００３６】
・筆記ユニット
前記軸筒２内に収容される筆記ユニット９は、汎用の筆記具に適用されるものであれば交換式、非交換式等どのような形態であってもよいが、本実施形態では、ボールペンレフィル形態の筆記ユニットが適用されている。具体的には、ポリプロピレンパイプからなるインキ収容管の先端にホルダーを介してペン先９１が接続され、インキ収容管に油性インキが充填されると共に、該インキの後端にインキ追従体が配設されている。更に、インキ収容管の後端には、空気通路を有する尾栓が設けられることで交換可能なボールペンレフィルが構成される。
【００３７】
＜第三の実施の形態＞
本発明の筆記具１の第三の実施形態を図５，６に示す。
筆記具１は、後端部の押圧操作によって軸筒先端からペン先９１が出没される出没式形態のボールペンである。前記筆記具１は、ペン先９１が先端に接続されたインキ収容管に油性インキとインキ追従体（液栓）を内蔵するボールペンレフィルを筆記ユニット９として用い、該ボールペンレフィルが筆記具外装である軸筒２の内部に収容されている。また、前記軸筒２の後端には、ペン先９１を軸筒先端から出没させるための押圧操作部４３が設けられており、更に、軸筒２の後方外面には、クリップ４２が設けられている。
【００３８】
・軸筒
前記筆記具外装である軸筒２は、口金３２及び弾性グリップ３１を備える前軸３と、出没機構を内設する後軸４とを螺合することで形成される。
前記後軸４は、白色不透明ポリカーボネート樹脂製の細径状筒体である内筒５と、該内筒５との間に空間（間隙部７）を形成するように被覆する透明ポリカーボネート樹脂製の外筒６とによって構成されている。前記外筒６は、後方外面にクリップ４２が一体に形成されており、前軸３と後軸４を分離した状態で内筒５から着脱できるように構成される。また、前記内筒５表面には、熱変色性装飾体８が印刷形成されており、外側から外筒６を介して視認される。前記装飾体８は外筒６で被覆されることで長期間の使用においても剥離することがない構造となっている。
尚、前記軸筒２においては、前軸３と後軸４を分離することで軸筒２内にボールペンレフィルを交換可能に収容することができる。
【００３９】
・熱変色性装飾体
前記後軸４の内筒５表面には、熱変色像８１及び非熱変色像８２で構成される熱変色性装飾体８（室温表示部）が形成される。前記熱変色性装飾体８は熱変色インジケーター８３として機能するものであり、クリップ４２を境に夏用、冬用の異なるデザイン及び変色温度の像が設けられている。図５側は、エアコンの設定温度の目安となる夏用エアコンチェッカーが、裏側である図６側は冬用エアコンチェッカーが表示されており、いずれも内筒５表面に非熱変色性材料による印刷像（非熱変色像８２）を曲面印刷機によるスクリーン印刷を施した後、熱変色インジケーター８３となる箇所に熱変色性インキによる像（熱変色像８１）を印刷することで形成される。
尚、前記熱変色性インキに適用される熱変色性材料には、可逆熱変色性、不可逆熱変色性のいずれのタイプも用いることができるが、温度変化による変化、復元が可能であることから可逆熱変色性材料が好ましい。前記可逆熱変色性材料は、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。尚、前記熱変色性材料は、熱変色性組成物が直接用いられる他、該組成物をマイクロカプセルに内包したマイクロカプセル顔料形態で用いることができる。
【００４０】
前記熱変色像８１は、環境温度域内（例えば、−１０℃〜５０℃、好ましくは５℃〜４０℃）で色調や様相が変化するものであり、筆記具１の使用場所の温度（室温）に応じて様々な様相が現出されるように装飾性を高めることができるため、今までにない意外性を備え、興趣に富んだ筆記具を形成できる。
特に、前記熱変色インジケーター８３として、環境省や政府が節電・温暖化防止対策の一環として推奨する、暖房時の室温を２０℃（１９℃）とすることや、冷房時の室温を２８℃とすることを踏まえた温度設定とすることで、室内の環境温度が視覚的に確認できるものとなるため、エアコンの設定温度の調整目安となり、節電啓蒙用のノベルティ効果の高いものとなる。そのため、前記熱変色像８１を、室温が１８〜２１℃の任意の温度を上回った際に様相変化を生じる形態や、室温が２６〜３０℃の任意の温度を下回った際に様相変化を生じる形態の室温表示部とすることが有用である。
【００４１】
本実施形態では、熱変色像８１の様相変化を利用した熱変色インジケーター８３が形成されており、夏用エアコンチェッカー（図５）には、２８℃未満で完全着色し、２９℃以上で完全消色する青色インキが用いられている。尚、図５（ａ）が熱変色性インキの消色状態、図５（ｂ）が熱変色性インキの着色状態における様相である。
また、冬用エアコンチェッカー（図６）には、１９℃以下で完全着色し、２０℃以上で完全消色する橙色インキが用いられている。尚、図６（ａ）が熱変色性インキの着色状態、図６（ｂ）が熱変色性インキの消色状態における様相である。
そのため、夏季には、図５側が、冷房時に室内温度が２８℃を上回っていれば熱変色インジケーター８３が消色状態（ａ）となり、下回っていれば着色状態（ｂ）の様相を呈する。また、冬季には、図６側が、暖房時に室内温度が２０℃を上回っていれば熱変色インジケーター８３が着色状態（ａ）となり、下回っていれば消色状態（ｂ）の様相を呈する。いずれも温度変化に応じて可逆的な様相変化を繰り返すため、再利用可能なインジケーター機能の高いものとなる。
【符号の説明】
【００４２】
１  筆記具
２  軸筒
３  前軸
３１  グリップ
３２  口金
４  後軸
４１  基部
４２  クリップ
４３  押圧操作部
５  内筒
５１  支持部
６  外筒
７  間隙部
８  熱変色性装飾体
８１  熱変色像
８２  非熱変色像
８３  熱変色インジケーター
９  筆記ユニット
９１  ペン先
ｔ１  完全発色温度
ｔ２  発色開始温度
ｔ３  消色開始温度
ｔ４  完全消色温度
ΔＨ  ヒステリシス幅
【図１】
2012179890.tif 000003
【図２】
2012179890.tif 000004
【図３】
2012179890.tif 000005
【図４】
2012179890.tif 000006
【図５】
2012179890.tif 000007
【図６】
2012179890.tif 000008